(57)【要約】【課題】本発明は、表示部の面と操作キー部の面に傾斜のついたリモコン送信機において、部品点数を減らし、組み立て時の作業工数を低減した安価なものを提供することを目的とするものである。【解決手段】本発明は、傾斜した表示手段４の接続面と配線基板２２の接続面とを略台形の接続体２５を用いて接続することにより、部品点数が削減でき、組み立て時の作業工数を改善した安価なリモコン送信機３４を得ることが出来るものである。【選択図】図１
2010136148.tif 000002
【特許請求の範囲】
【請求項１】
上面開放で箱型の下ケースと、
固定接点が形成された配線基板と、
上記固定接点の電気的接離に応じて送信手段からリモコン信号が送信される制御手段と、
上記固定接点の上方に配置される操作体と、
上記制御手段の信号に基づき表示を行う表示手段と、
上記配線基板上に一端が圧接され上記表示手段に他端が圧接された接続体と、
上記操作体の上面と上記表示手段の上面が露出する下面開放で箱型の上ケースとからなり、
上記表示手段は上記配線基板に対し所定の角度で傾斜して配置され、上記接続体は配線基板に圧接される底面に対し表示手段に圧接される上面を所定の角度で傾斜させたことを特徴とするリモコン送信機。
【請求項２】
上ケースの長手方向に、接続体の長手方向の両端に当接し、接続体の両端を保持するリブを設けたことを特徴とする請求項１記載のリモコン送信機。
【発明の詳細な説明】
【技術分野】
【０００１】
本発明は、主に各種電子機器の遠隔操作に用いられるリモコン送信機に関するものであるものである。
【背景技術】
【０００２】
近年、空調機器や給湯機器などの高機能化が進むなか、これらの機器を遠隔操作するリモコン送信機は、液晶表示素子などの表示手段に表示された文字などが明確に視認出来るものが求められており、壁に取り付けたリモコン送信機においては、斜めに見上げられるために、表示手段を傾斜させて配置したリモコン送信機が考えられている。
【０００３】
このような従来のリモコン送信機について、図３に示す従来のリモコン送信機の断面図及び図４に示す同分解斜視図を用いて説明すると、同図において、１は絶縁樹脂製の上面開放で略箱状の下ケース、２Ａ及び２Ｂは上下面に複数の配線パターン（図示せず）が形成された配線基板で、１３は例えばリード線等の被覆電線を用いた接続手段で、接続手段１３の一端は配線基板２Ａに接続され、他端は配線基板２Ｂと接続されている。
【０００４】
また、配線基板２Ａ上面には発光レーザーダイオードなどの送信手段９が実装され、さらに、配線基板２Ｂ上面には複数の固定接点３が形成され、同下面には、マイクロコンピューターなどの半導体素子で構成された制御手段１０が実装されている。
【０００５】
ここで、配線基板２Ａの上下面に形成された回路や送信手段９は接続手段１３を介して配線基板２Ｂの制御手段１０に接続され、また、配線基板２Ａの上下面に形成された回路や固定接点３も制御手段１０に接続されている。
【０００６】
そして、４は液晶表示素子などの表示手段、５は導電層と絶縁層を所定間隔で積層して一体形成した略直方体の接続体で、接続体５が配線基板２Ａと表示手段４の間で圧着されることにより、配線基板２Ａと表示手段４が電気的に接続され、また、制御手段１０と表示手段４が電気的に接続されている。
【０００７】
そして、６はゴム等の弾性体で構成された操作体で、各種の数字や記号などが上面に印刷などされたドーム状の複数の操作キー部６Ａと、配線基板２Ｂ上に載置された略方形の基部６Ｂからなり、個々の操作キー部６Ａ下面には、カーボンブラックなどが塗布されて形成された導電性の可動接点７が形成され、配線基板２Ｂ上面の固定接点３と所定の間隙を空けて対向している。
【０００８】
また、１２は絶縁樹脂製の上ケースで、１２Ａで示す操作面と、１２Ｂで示す操作面１２Ａに対して略くの字形状をなす、所定の角度で傾斜した表示面を備え、操作面１２Ａ上の複数の角穴１２Ｃからは各々操作キー部６Ａが突出し、表示面１２Ｂ上の若干大きな角穴１２Ｄの底面は表示手段４の上面と接している。
【０００９】
そして、送信手段９が実装された配線基板２Ａと、制御手段１０が実装され固定接点３などが形成された配線基板２Ｂと、接続手段１３と、表示手段４と、接続体５と、操作体６と、可動接点７を上ケース１２に収納した状態で、下ケース１を組み合わせ、リモコン送信機１４が構成されている。
【００１０】
ここで、このようなリモコン送信機１４を組み立てる際には、まず、上ケース１２を上下逆に引っくり返した状態で、所定の位置に表示手段４と操作体６を配置する。
【００１１】
次に、送信手段９の電子部品を配線基板２Ａに実装し、別に制御手段１０などの電子部品を配線基板２Ｂに実装した後、接続手段１３で配線基板２Ａと２Ｂを接続する。
【００１２】
そして、表示手段４と配線基板２Ａの間に、接続体５を挟み、配線基板２Ａと上ケース１２をネジなどで固定し、接続体５を表示手段４と配線基板２Ａに圧接し、配線基板２Ｂは操作体６の上に配置しネジなどで固定する。
【００１３】
そして、下ケース１を上下逆に引っくり返された上ケース１２の上方から嵌めて、リモコン送信機１４が完成する。
【００１４】
つまり、従来のリモコン送信機は、表示装置４を傾斜して配置するために、配線基板を配線基板２Ａと配線基板２Ｂに分けて別々に電子部品などを実装し、接続手段１３で接続するため、部品点数が多く、作業の手間がかかるものとなっていた。
【００１５】
以上の構成において、リモコン送信機１４の所定の操作キー部６Ａ、例えば電源の入／切の記号が描かれた操作キー部６Ａを押圧操作すると、この個所の可動接点７が配線基板２Ｂ上の複数の固定接点３に接触して、複数の固定接点３の間で導通が図られて、固定接点３の間の電気的接離が行われる。
【００１６】
そして、制御手段１０から、送信手段９を介して、所定のリモコン信号が例えば赤外線などの手段により出力され、給湯温度や空調温度を制御する制御機器（図示せず）へ送信されて、電源の入／切が遠隔操作によって行われる。
【００１７】
また、例えば給湯温度や空調温度を変化させたい場合には、リモコン送信機１４の所定の操作キー部６Ａを押圧操作して、表示手段４の上面の温度表示などが変化すると同時に、その設定した温度が送信信号として機器へ送信され、給湯温度が設定されるように構成されているものであった。
【００１８】
なお、この出願の発明に関連する先行技術文献情報としては、例えば、特許文献１が知られている。
【特許文献１】特開２００７−１０４４３５号公報
【発明の開示】
【発明が解決しようとする課題】
【００１９】
しかしながら、上記従来のリモコン送信機においては、表示装置４を傾斜して配置するために、配線基板２Ａと２Ｂとを接続手段１３で接続する構成としているため、部品点数が多く高価となり、また基板ごとに実装しその後接続する手間がかかり、組み立て時の作業工数も多く要しているという課題があった。
【００２０】
本発明は、このような従来の課題を解決するものであり、部品点数を削減し、作業工数を低減した安価なリモコン送信機を提供することを目的とする。
【課題を解決するための手段】
【００２１】
上記目的を達成するために本発明は、以下の構成を有するものである。
【００２２】
本発明の請求項１に記載の発明は、リモコン送信機において、表示手段は配線基板に対し所定の角度で傾斜して配置され、接続体は配線基板に圧接される底面に対し表示手段に圧接される上面を所定の角度で傾斜させたものであるため、配線基板を傾斜させて配置しなくても、傾斜して配置された表示手段と配線基板との間に、接続体を圧着することが出来、これにより、リモコン送信機の配線基板は一枚で構成することが可能で、部品点数を削減し、作業工数を低減した安価なリモコン送信機を提供することが出来るという作用を有する。
【００２３】
また、請求項２に記載の発明は、上ケースの長手方向に、接続体の長手方向の両端に当接し、接続体の両端を保持するリブを備えるものであるため、請求項１記載の発明の作用に加えて、接続体の位置がずれることなく所定の位置に圧着することが出来るという作用を有する。
【発明の効果】
【００２４】
以上のように本発明によれば、部品点数を削減し、作業工数を低減した安価なリモコン送信機を提供することが出来るという有利な効果が得られる。
【発明を実施するための最良の形態】
【００２５】
以下、本発明の実施の形態について、図１及び図２を用いて説明する。
【００２６】
なお、背景技術の項で説明した構成と同一構成の部分には同一符号を付して、詳細な説明を簡略化する。
【００２７】
（実施の形態）
図１は本発明の一実施の形態によるリモコン送信機の断面図、図２は同分解斜視図であり、同図において、２１は略箱状でポリスチレンやＡＢＳ等の絶縁樹脂製の下ケースで、内底面は六つのリブ２１Ａが設けられている。
【００２８】
また、２２は紙フェノールやガラス入りエポキシ等の配線基板で、各々上下面に銅等によって複数の配線パターン（図示せず）が形成され、リブ２１Ａ上面に当接している。
【００２９】
ここで、配線基板２２の上面には、複数の固定接点２３、レーザーダイオード等の送信手段９が実装され、さらに、下面にはマイクロコンピューター等の半導体素子で構成された制御手段１０が実装されている。
【００３０】
また、４は液晶表示素子等の表示手段、２５はシリコンゴム等にカーボン等を分散した導電層とシリコンゴム等の絶縁層が所定間隔で積層された接続体であり、この、接続体２５がやや圧接された状態で配線基板２２と表示手段４の間に装着されることにより、配線基板２２と表示手段４が電気的に接続され、さらに表示手段４と制御手段１０が電気的に接続されている。
【００３１】
ここで、上記接続体２５は、図２の分解斜視図において、右側面の長さｈ１は左側面の長さｈ２より例えば２ｍｍ長い略台形の形状をなしており、また、接続体２５は、配線基板２２上面に当ピッチで配置された接続電極２４上に配置され、配線基板２２の回路を介して、制御手段１０と電気的に接続される。
【００３２】
そして、表示装置４に接している面は、配線基板２２に対し、略くの字をなす、例えば５°から１５°の所定の角度θ１で傾斜が形成されており、これにより、配線基板２２に対し所定の傾斜を備えて表示装置４が配置されるものとなし得るものである。
【００３３】
そして、６はゴム等の弾性体で構成された弾性体で、各種の数字や記号などが上面に印刷などされたドーム状の複数の操作キー部６Ａと、配線基板２２上に載置された略方形の基部６Ｂからなり、個々の操作キー部６Ａ下面には、カーボンブラックなどが塗布されて形成された導電性の可動接点７が形成され、配線基板２２上面の固定接点２３と所定の間隙を空けて対向している。
【００３４】
また、３２はポリスチレンやＡＢＳ等の絶縁樹脂製の上ケースで、３２Ａで示す操作面と３２Ｂで示す表示面とがなす角度は、接続体２５の上面の傾きと同じ角度をなし、操作面３２Ａ上の複数の角穴３２Ｃからは各々操作キー部６Ａが突出し、表示面３２Ｂ上の若干大きな角穴３２Ｄの底面には位置決め段差３２Ｅが設けられ、表示手段４の外形がはめ込まれている。
【００３５】
このように、位置決め段差３２Ｅ内に表示手段４が固定されるため、リモコン送信機を組み立てる際に位置決めがしやすく、表示手段４と配線基板２２上に設けられた接続電極２４との間の位置ズレを抑制することが出来るため、電気的接続をより安定にすることが出来るという効果を有する。
【００３６】
さらに、上ケース３２の内底面には、３２Ｆ及び３２Ｇで示される二本のリブが設けられており、リブ３２Ｆが接続体２５の右側面と接するように、またリブ３２Ｇが接続体２５の左側面と接するように、リブ３２Ｆ及び３２Ｇの間に接続体２５が配置されている。
【００３７】
ここで、リブ３２Ｆは、望ましくは接続体２５の右側面の半分よりも下側に突出するよう設けられており、またリブ３２Ｇも、望ましくは接続体２５の左側面の半分よりも下側に突出するよう設けられている。
【００３８】
これにより、接続体２５を表示装置４と配線基板２２との間で圧着する際に、表示装置４からは傾斜して押し付けられている為に、接続体２５の右側面方向にずらそうとする力が働くが、リブ３２Ｆが有るため、接続体２５がずれることなく、その形状を維持したまま圧着し得るものと出来る。
【００３９】
さらに、リブ３２Ｆとリブ３２Ｇの間に接続体２５が配置されているため、接続体２５を正確な位置に配置がしやすく、表示装置４と配線基板２２との間の電気的接続がより安定する。
【００４０】
そして、送信手段９、制御手段１０などが実装され、固定接点２３が形成された配線基板２２と、表示手段４と、接続体５と、操作体６と、可動接点７を上ケース３２に収納した状態で、下ケース２１を組み合わせ、リモコン送信機３４が構成されている。
【００４１】
このようなリモコン送信機３４を組み立てる際には、まず上ケース３２を引っ繰り返して所定の位置に表示手段４と操作体６を配置した後、接続体２５の傾斜した接続面を表示手段４の接続面に配置する。
【００４２】
次に、送信手段９と制御手段１０等の電子部品を配線基板２２に実装した後、配線基板２２を接続体５と操作体６の下方に当接するよう配置し、これらをネジ等で固定して、下ケース２１を上ケース３２に嵌めることによって、リモコン送信機３４が完成する。
【００４３】
つまり、配線基板２２上に、送信手段９や制御手段１０等の電子部品を配置することが可能であるため、配線基板が一枚でリモコン送信機３４を構成することができるため、組み立て時の作業工数が少なく安価なリモコン送信機を得ることが可能である。
【００４４】
以上の構成において、リモコン送信機３４の所定の操作キー部６Ａ、例えば電源の入／切の記号が描かれた操作キー部６Ａを押圧操作すると、この個所の可動接点７が配線基板２Ｂ上の複数の固定接点２３に接触して、複数の固定接点２３の間で導通が図られて、固定接点の電気的接離が行われる。
【００４５】
そして、上記固定接点の電気的接離に応じて制御手段１０から、これらに対応した所定のリモコン信号が出力され、送信手段９を介して、例えば赤外線などにより、給湯温度や空調温度を制御する制御機器（図示せず）へ送信されて、電源の入／切が遠隔操作によって行われる。
【００４６】
また、例えば給湯温度や空調温度を変化させたい場合には、リモコン送信機３４の所定の操作キー部７を押圧操作すると、制御手段１０から所定の信号が表示手段４に送られ、数字などで表示された温度が変化すると共に、設定した温度をリモコン信号として機器へ送信して給湯温度あるいは空調温度が設定される。
【００４７】
このように本実施の形態によれば、表示手段と配線基板を接続する接続体として、配線基板に圧接される底面と表示手段に圧接される上面が所定の角度で傾斜したものを用いているため、配線基板２２は１枚で構成することが出来、組み立ての際の作業工数を低減することが出来ると共に、部品点数を削減した安価なリモコン送信機を得ることが出来るものである。
【００４８】
なお、上述の説明では上ケース３２の操作面３２Ａに対し表示面３２Ｂが上側に傾斜したものとして説明したが、本発明はこれに限られるものではなく、操作面３２Ａに対し表示面３２Ｂが、下側に傾斜したものであっても用いることが出来、この場合は、接続体２５の右側面の長さｈ１が左側面の長さｈ２よりも短いものを用いることによって、部品点数を削減し、組み立て時の作業工数を低減した安価なリモコン送信機を得ることが可能である。
【００４９】
さらに、上述の説明において接続体２５は配線基板２２の左右に一組、すなわち二つを表示手段４の左右両端に接続するものとして説明したが、接続体２５を片方だけに接続し、他方をゴムなどの弾性材料で形成されたスペーサーを接続体２５の代わりに配置することによっても、本発明の実施は可能であり、同様の効果を得ることが出来る。
【産業上の利用可能性】
【００５０】
本発明によるリモコン送信機は、部品点数を削減出来る上に、作業工数を低減したものが得られ、主に空調機器や給湯機器などの遠隔操作用として有用である。
【図面の簡単な説明】
【００５１】
【図１】本発明の一実施の形態によるリモコン送信機の断面図
【図２】同分解斜視図
【図３】従来のリモコン送信機の断面図
【図４】同分解斜視図
【符号の説明】
【００５２】
４  表示手段
６  操作体
６Ａ  操作キー部
７  可動接点
９  送信手段
１０  制御手段
２１  下ケース
２１Ａ  リブ
２２  配線基板
２４  接続電極
２５  接続体
３２  上ケース
３２Ａ  操作面
３２Ｂ  表示面
３２Ｃ、３２Ｄ  角穴
３２Ｅ  位置決め段差
３２Ｆ、３２Ｇ  リブ
３４  リモコン送信機
【図１】
2010136148.tif 000003
【図２】
2010136148.tif 000004
【図３】
2010136148.tif 000005
【図４】
2010136148.tif 000006